(57)【要約】      （修正有）【課題】携帯端末を任意の場所に固定することで購買者が携帯端末を持つ負担を削減し、片手で商品をかざす所作のみでバーコードの読み取りを可能とする携帯情報端末機用ホルダーを提供する。【解決手段】被係止体に係止可能なフック１と携帯情報端末機の下部を支承する端末受け部３を、連結部２の上下にそれぞれ形成する。フック１は、連結部２の背面側に、端末受け部３は、連結部の正面側に位置させ、連結部２の背面に、連結部を傾斜状態に保持するための凸部４を設ける。端末受け部３の携帯情報端末機の下端に接する受け面からフック１の上端までの長さを、このホルダーに載置された携帯情報端末機のカメラ部分が露出する長さとする。【選択図】図１
2020141389.tif 000002
【特許請求の範囲】
【請求項１】
携帯情報端末機を保持するホルダーであって、
被係止体に係止可能なフックと携帯情報端末機の下部を支承する端末受け部が、連結部の上下にそれぞれ形成され、
前記フックは前記連結部の背面側に、前記端末受け部は前記連結部の正面側にあり、
前記連結部の背面に、前記連結部を傾斜状態に保持するための凸部が設けられ、
前記端末受け部の携帯情報端末機の下端に接する受け面から前記フックの上端までの長さを、このホルダーに載置された携帯情報端末機のカメラ部分が露出する長さとした、
携帯情報端末機用ホルダー
【請求項２】
フックと連結部と端末受け部は連続する板状であり、連結部に設けられた凸部は、隆起した面とした、請求項１に記載の携帯情報端末機用ホルダー
【請求項３】
被係止体は買物かごとした、請求項１に記載の携帯情報端末機用ホルダー
【発明の詳細な説明】
【技術分野】
【０００１】
この発明は、携帯情報端末機用ホルダーに関するものである。具体的には、コンビニエンスストアやスーパーマーケット等の小売店において、購買者が自ら携帯情報端末機（以下「携帯端末」ということがある。）のカメラで商品のバーコードを読み取り、電子マネーで決済する過程において、携帯端末を保持するために使用されるホルダーに関するものである。
【背景技術】
【０００２】
携帯情報端末機用ホルダーは幾多の提案がなされているが、携帯の便を図るものや、画面を見ることを目的としたものであって、バーコードの読み取りの便を図るものは提案されていない。
例えば、特開平１０−２０１５１３の発明は、フックによって身体などに取り付けるホルダーであって、ホルダーの用途は携帯情報端末機の運搬であり、特開２０１８−１２５８２６の発明は、携帯情報端末機を壁面に固定する器具であり、器具の用途は画像の鑑賞である。
【特許文献１】特開平１０−２０１５１３号公報
【特許文献２】特開２０１８−１２５８２６号公報
【発明の開示】
【発明が解決しようとする課題】
【０００３】
近時、コンビニエンスストアやスーパーマーケット等の小売店において、購買者が自ら携帯端末のカメラで商品のバーコードを読み取り、電子マネーで決済する手法が導入されつつある。この手法において、購買者が携帯端末のカメラで商品のバーコードを読み込むためには、消費者は、片手で携帯端末を持ち、他方の手で商品を持ち、商品に表示されたバーコードをカメラにかざす必要がある。
このような所作は、購買者が手に別の荷物を持っている場合には不可能であり、荷物を持っていないとしても煩わしい。
【０００４】
この発明は、携帯端末を任意の場所に固定することで購買者が携帯端末を持つ負担を削減し、片手で商品をかざす所作のみでバーコードの読み取りを可能とすることを課題とするものである。
【課題を解決するための手段】
【０００５】
この発明は、携帯情報端末機を保持するホルダーを以下の構成とすることにより課題を解決するものである。
被係止体に係止可能なフックと携帯情報端末機の下部を支承する端末受け部を、連結部の上下にそれぞれ形成する。前記フックは前記連結部の背面側に、前記端末受け部は前記連結部の正面側に位置させ、前記連結部の背面に、前記連結部を傾斜状態に保持するための凸部を設ける。前記端末受け部の携帯情報端末機の下端に接する受け面から前記フックの上端までの長さを、このホルダーに載置された携帯情報端末機のカメラ部分が露出する長さとする。
【０００６】
前記端末支持部の幅は、携帯情報端末機の幅に対応して数センチあるいはこれより若干狭い幅でよいが、二つ折りのケースに入れられた携帯端末を、ケースから取り出さずにカメラを機能させるために、ケースを開いた状態の幅に対応する幅、すなわち１０センチないし十数センチとすることが好ましい。
【０００７】
前記連結部を傾斜状態に保持するための凸部は、被係止体に形成された壁面などに突き当たって端末支持部を傾斜状態に保持するものである。傾斜状態に保持する目的は、携帯端末をバーコードを読み取りやすい角度に保持するためであり、傾斜角度は４０ないし６０度程度が適当と考えられる。
【０００８】
前記端末受け部の携帯情報端末機の下端に接する受け面から前記フックの上端までの長さは、一般に普及している最小の携帯情報端末機を保持したときにそのカメラが露出することが必要である。現在流通している携帯情報端末機の上下寸法は概ね１２センチ以上であるから、前記長さは１０センチ程度が適当なものと考えられる。
【０００９】
前記フックと連結部と端末受け部は連続する板状とし、連結部に設ける凸部は、隆起した面とすることにより、スタッキングに適したものとすることができる。
なお、フック、連結部、端末受け部はワイヤで構成することもできる。そして、前記凸部は、ワイヤを突出させた構造としてもよい。
【００１０】
この発明のホルダーは、コンビニエンスストアやスーパーマーケット等の小売店での電子決済に使用することを主目的とするものであるから、被係止体は店内で購買する商品を運搬するための買物かごとし、これに適合するようにフックや凸部の具体的な態様を決めることが好ましい。尤も、被係止体は買い物かごに限定されるものではない。
【発明の効果】
【００１１】
この発明のホルダーは、フック、連結部、端末受け部を備えているので、フックを被係止体に係止させることにより、携帯端末を被係止体に固定することができる。そして、端末支持部には凸部を設けてあり、フックの上端から携帯端末のカメラ部分が露出する大きさとしてあるので、このホルダーに保持された携帯端末のカメラを、斜め下方に向けて位置させることができる。
したがって、購買者は携帯端末を手に持つことなく、商品のバーコードをカメラに読み取らせて、電子決済をおこなうことができる。
【図面の簡単な説明】
【００１２】
【図１】この発明実施例の背面側斜視図。
【図２】同じく買い物かごに取り付けた状態の斜視図。
【図３】同じく買い物かごに取り付けた状態の断面図。
【図４】同じくスタッキングした状態の右側面図。
【図５】同じくガイドを設けた例の側面図
【図６】同じくカウンターに取り付けた状態の斜視図
【図７】同じく正面図。
【図８】同じく背面図。
【図９】同じく平面図。
【図１０】同じく底面図。
【図１１】同じく右側面図。
【図１２】同じく左側面図。
【図１３】ワイヤで構成した実施例の斜視図
【実施例】
【００１３】
以下、この発明の実施例を説明する。
【００１４】
被係止体である硬質樹脂製の買い物かごＱの上部のフランジＱ１に係止可能なフック１が、連結部２の背面向きに形成してあり、前記連結部２の下端に、携帯端末Ｐの下部を支承する端末受け部３が形成してある。
前記フック１及び端末受け部３は側面視半円状に湾曲している。フック１は買い物かごＱのフランジＱ１の外縁に係止し得る形状であり、端末受け部３は携帯端末Ｐの下部を保持し得る形状としてある。
前記連結部２は平板であり、前記フック１，連結部２，端末受け部３は樹脂で一体成形してあり、携帯端末Ｐが安定して保持されるよう、表面はラバー塗装してある。
【００１５】
前記連結部２の背面に、連結部２を傾斜状態に保持するための凸部４が、前記連結部２と一体成形により設けてある。この凸部４は、上下に脚４ａを備えた板体であり、フック１を買い物かごＱに係止させたときに、その上縁４ｂが買い物かごＱの内壁Ｑ２に突き当たり、連結部１が５０度の傾斜となるようにしてある。
また、凸部４の大きさ、位置、高さは、上記５０度の傾斜を得ることと共に、このホルダーをスタッキングする際のスペーサーとして機能するように選定してある。
【００１６】
前記端末受け部３の携帯端末Ｐの下端に接する受け面３ａから前記フック１の上端１ａまでの長さは１０センチとしてあり、上下寸法の小さい携帯端末をこのホルダーＡに載置した場合にも、その携帯端末のカメラ部分Ｐ１が露出するようにしてある。
【００１７】
以下、実施例のホルダーの使用方法を説明する。
【００１８】
商品の購買者は、商品の入った買い物かごＱをカウンターなどに置き、店舗が用意しているホルダーＡのフック１を買い物かごＱのフランジＱ１に係止する。このとき、凸部４によって連結部２の回転は規制され、５０度の角度で保持される。
次いで、購買者は自己の携帯端末ＰをホルダーＡに推せる。これによって携帯端末は買い物かごＱに５０度の傾斜で固定され、カメラ部分Ｐ１はバーコードの読み取りに適した角度で、斜め下向きに露出している。この状態で携帯端末Ｐのアプリを作動させてカメラで商品Ｒのバーコードを読み取ることができる。
携帯端末Ｐは買い物かごＱに固定されているので、片手で読み取り作業をすることができる。
【００１９】
また、凸部４はホルダーＡのスタッキングに適したものとしてあるので、ホルダーＡを図４に示すように整然と積み重ねることができる。そして、ケースＳを用意すれば、店頭において整然と保管することができる。
【００２０】
図５に示すホルダーＡは、上記実施例の構造に、ガイド５を付加したものである。すなわち、ガイド５は、前記フック１の先端に、カメラでの読み取りに適した距離の長さの腕又は平板５ａを連接し、その先端をＬ字状に屈曲して構成してある。
このようにすることで、購買者は迷うことなく商品Ｒを読み取りに最適な場所に位置させることができ、効率よく読み取り作業をすることができる。
【００２１】
図６は、買い物かごＱではなくカウンターＴに支柱Ｔ１で支持して設けた受け板Ｔ２の上縁に、ホルダーＡを取り付けた例である。
【００２２】
図１３は、ホルダーをワイヤ６で構成したものである。
【産業上の利用可能性】
【００２３】
この発明は、小売店における電子決済の利便性を高めるものであり、産業上の利用可能性を有するものである。
【符号の説明】
【００２４】
１      フック
２      連結部
３      端末受け部
４      凸部
５      ガイド
Ｐ      携帯情報端末機
Ｑ      買い物かご
Ｒ      商品
Ｓ      ケース
Ｔ      カウンター
【図１】
2020141389.tif 000003
【図２】
2020141389.tif 000004
【図３】
2020141389.tif 000005
【図４】
2020141389.tif 000006
【図５】
2020141389.tif 000007
【図６】
2020141389.tif 000008
【図７】
2020141389.tif 000009
【図８】
2020141389.tif 000010
【図９】
2020141389.tif 000011
【図１０】
2020141389.tif 000012
【図１１】
2020141389.tif 000013
【図１２】
2020141389.tif 000014
【図１３】
2020141389.tif 000015
【手続補正書】
【提出日】平成31年3月4日(2019.3.4)
【手続補正１】
【補正対象書類名】明細書
【補正対象項目名】００１８
【補正方法】変更
【補正の内容】
【００１８】
商品の購買者は、商品の入った買い物かごＱをカウンターなどに置き、店舗が用意しているホルダーＡのフック１を買い物かごＱのフランジＱ１に係止する。このとき、凸部４によって連結部２の回転は規制され、５０度の角度で保持される。
次いで、購買者は自己の携帯端末ＰをホルダーＡに載せる。これによって携帯端末は買い物かごＱに５０度の傾斜で固定され、カメラ部分Ｐ１はバーコードの読み取りに適した角度で、斜め下向きに露出している。この状態で携帯端末Ｐのアプリを作動させてカメラで商品Ｒのバーコードを読み取ることができる。
携帯端末Ｐは買い物かごＱに固定されているので、片手で読み取り作業をすることができる。
【手続補正２】
【補正対象書類名】図面
【補正対象項目名】図１
【補正方法】変更
【補正の内容】
【図１】
2020141389.tif 000016
【手続補正３】
【補正対象書類名】図面
【補正対象項目名】図２
【補正方法】変更
【補正の内容】
【図２】
2020141389.tif 000017
【手続補正４】
【補正対象書類名】図面
【補正対象項目名】図３
【補正方法】変更
【補正の内容】
【図３】
2020141389.tif 000018
【手続補正５】
【補正対象書類名】図面
【補正対象項目名】図５
【補正方法】変更
【補正の内容】
【図５】
2020141389.tif 000019
【手続補正６】
【補正対象書類名】図面
【補正対象項目名】図６
【補正方法】変更
【補正の内容】
【図６】
2020141389.tif 000020
【手続補正７】
【補正対象書類名】図面
【補正対象項目名】図８
【補正方法】変更
【補正の内容】
【図８】
2020141389.tif 000021
【手続補正８】
【補正対象書類名】図面
【補正対象項目名】図１３
【補正方法】変更
【補正の内容】
【図１３】
2020141389.tif 000022